(57)【要約】      （修正有）【課題】使用前はコンクリート骨材とセメントを別々にコンクリート骨材収納袋内に収納するとともに、コンクリート骨材収納袋内に所定量のセメントを収納した水溶解袋を投入容易な状態で収納でき、使用時にはコンクリート骨材とセメントとを簡単に混合させることができ、構造が簡単で、セメントの設置が容易なコンクリート原料を提供する。【解決手段】上部に開口部２が形成され、底面中央部に排出口３が形成されたコンクリート骨材収納袋５と、この収納袋の排出口を開閉可能な開閉手段と、収納袋の排出口を下部に位置させた状態で、かつ該排出口を塞ぐことなく吊り上げられるように、該収納袋に取付けられた吊りロープ７と、収納袋に収納された所定量のコンクリート骨材８と、このコンクリート骨材が収納された収納袋内に、排出口より排出できる大きさで、水によって溶解する水溶解袋９に収納された所定量のセメントとでコンクリート原料１を構成する。【選択図】図１
2015098121.tif 000002
【特許請求の範囲】
【請求項１】
上部に開口部が形成され、底面中央部に排出口が形成されたコンクリート骨材収納袋と、このコンクリート骨材収納袋の排出口を開閉することができる開閉手段と、前記コンクリート骨材収納袋の排出口を下部に位置させた状態で、かつ該排出口を塞ぐことなく吊り上げられるように、該コンクリート骨材収納袋に取付けられた吊りロープと、前記コンクリート骨材収納袋に収納された所定量のコンクリート骨材と、このコンクリート骨材が収納された前記コンクリート骨材収納袋内に、前記排出口より排出できる大きさで、水によって溶解する水溶解袋に収納された所定量のセメントとからなることを特徴とするコンクリート原料。
【発明の詳細な説明】
【技術分野】
【０００１】
本発明は現場で容易に生コンクリートを製造できるように輸送することができるコンクリート原料に関する。
【背景技術】
【０００２】
従来、建設現場で使用する生コンクリートは、生コン工場でコンクリートミキサー車に砂や砂利等のコンクリート骨材、セメント、水を計量して投入し、混練しながら建設現場へ輸送しているため、輸送時間によって生コンクリートの品質の低下が生じるという欠点があるとともに、水を加えた生コンクリートの輸送であるため、重量が重く、輸送効率が悪いという欠点があった。
【０００３】
また、建設現場で生コンクリートを製造することも考えられるが、コンクリート骨材やセメントを計量しなければならず、最適な生コンクリートの製造が難しいという欠点があった。
【０００４】
この欠点を解消するために、コンクリート骨材収納袋に所定量のコンクリート骨材と、コンクリート骨材収納袋内に取付けられた、該コンクリート骨材収納袋よりコンクリート骨材を排出する時に開口する所定量のセメントが収納されたセメント収納袋を設けるものも考えられているが、構造が複雑で、コスト高になるとともに、セメント収納袋の設置に手数がかかるという欠点があった。
【先行技術文献】
【特許文献】
【０００５】
【特許文献１】特許第４２２１３８７号公報
【発明の概要】
【発明が解決しようとする課題】
【０００６】
本発明は以上のような従来の欠点に鑑み、使用するまではコンクリート骨材とセメントを別々にコンクリート骨材収納袋内に収納することができるとともに、コンクリート骨材収納袋内に所定量のセメントを収納した水溶解袋を投入する簡単な収納状態で収納でき、使用時にはコンクリート骨材とセメントとを簡単に混合させることができる、構造が簡単で、セメントの設置が容易で、楽に使用することができるコンクリート原料を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明は上部に開口部が形成され、底面中央部に排出口が形成されたコンクリート骨材収納袋と、このコンクリート骨材収納袋の排出口を開閉することができる開閉手段と、前記コンクリート骨材収納袋の排出口を下部に位置させた状態で、かつ該排出口を塞ぐことなく吊り上げられるように、該コンクリート骨材収納袋に取付けられた吊りロープと、前記コンクリート骨材収納袋に収納された所定量のコンクリート骨材と、このコンクリート骨材が収納された前記コンクリート骨材収納袋内に、前記排出口より排出できる大きさで、水によって溶解する水溶解袋に収納された所定量のセメントとでコンクリート原料を構成している。
【発明の効果】
【０００９】
以上の説明から明らかなように、本発明にあっては次に列挙する効果が得られる。
（１）請求項１により、コンクリート骨材収納袋内に、計量されたコンクリート骨材と、水溶解袋に収納された、計量されたセメントが収納されているので、生コンクリートを製造する建設現場で、計量することなくコンクリートミキサー等の生コンクリートの製造装置に投入して、生コンクリートを製造することができる。
したがって、最適な生コンクリートを効率よく製造することができる。
（２）前記（１）によって、コンクリート骨材収納袋に計量したコンクリート骨材と、計量したセメントを収納するだけでよく、従来のように計量したセメントを収納した袋をコンクリート骨材収納袋の開口部に取付ける等の、面倒な作業が不要で、楽にコンクリート骨材収納袋に収納することができる。
（３）前記（１）によって、計量したセメントは水溶解袋に収納されているので、現場での生コンクリートの製造時に使用される水で水溶解袋を溶解して、セメントとコンクリート骨材とを混合させることができるため、セメントの水溶解袋からの取り出し作業が不要で、楽に使用できる。
（４）前記（１）によって、計量されたコンクリート骨材と計量されたセメントは水溶解袋でコンクリート骨材収納袋内で分離されているため、セメントが劣化したりするのを効率よく防止できる。
【図面の簡単な説明】
【００１０】
【図１】本発明を実施するための第１の形態の断面図。
【図２】本発明を実施するための第１の形態の正面図。
【図３】本発明を実施するための第１の形態の側面図。
【図４】本発明を実施するための第１の形態のコンクリート骨材収納袋の説明図。
【図５】本発明を実施するための第１の形態のセメント収納袋の説明図。
【図６】本発明を実施するための第１の形態の輸送時の吊り上げ状態の説明図。
【図７】本発明を実施するための第１の形態のホッパーへ排出する状態の説明図。
【図８】本発明を実施するための第２の形態の断面図。
【図９】本発明を実施するための第２の形態の正面図。
【図１０】本発明を実施するための第２の形態の側面図。
【図１１】本発明を実施するための第３の形態の断面図。
【図１２】本発明を実施するための第３の形態の正面図。
【図１３】本発明を実施するための第３の形態の水溶解袋の収納状態の説明図。
【発明を実施するための形態】
【００１１】
以下、図面に示す本発明を実施するための形態により、本発明を詳細に説明する。
【００１２】
図１ないし図７に示す本発明を実施するための第１の形態において、１はコンクリート骨材工場から生コンクリートを使用する建設現場へトラック等で輸送される本発明のコンクリート原料で、このコンクリート原料１は上部に開口部２が形成され、底面中央部に排出口３となる排出筒４が形成されたコンクリート骨材収納袋５と、このコンクリート骨材収納袋５の排出口３を開閉する開閉手段として、前記排出筒４の外周部に両端部を除く一部が縫着固定されたロープ６と、前記コンクリート骨材収納袋５の排出口３を下部に位置した状態で、かつ該排出口３を塞ぐことなく吊り上げられるように、該コンクリート骨材収納袋５の両側部にコ字状に縫着等によって取付けられた上部がループとなる吊りロープ７、７と、前記コンクリート骨材収納袋５内にコンクリート工場で計量されて収納された砂や砂利等のコンクリート骨材８と、このコンクリート骨材８が収納されたコンクリート骨材収納袋５内に、前記排出口３より排出できる大きさで、水によって溶解する水溶解袋９に密封状態で収納された、コンクリート骨材工場で前記コンクリート骨材収納袋５に収納されるコンクリート骨材８に最適な量に計量されたセメント１０と、前記コンクリート骨材収納袋５内にコンクリート骨材８と水溶解袋９に収納されたセメント１０を収納した後に、該コンクリート骨材収納袋５の開口部２を閉じるロープ１１とで構成されている。
【００１３】
前記水溶解袋は、水で溶解するものであればなんでもよいが、最適には水溶性フィルムで、アルカリに強い、ハイセロン(日本合成化学の商品名)Ｓタイプが使用され、密封状態には同じ材質で形成された紐１２で編んだり、溶着や溶接等で行なっている。
【００１４】
このように構成されたコンクリート原料１は、コンクリート工場で計量されるコンクリート骨材８と、このコンクリート骨材８に最適な量の水溶解袋９に収納されたセメント１０がコンクリート骨材収納袋５に収納され、開口部２がロープ１１で閉じられているので、クレーン１３のフック１４にコンクリート骨材収納袋５の吊りロープ７、７を係止させてトラック１５へ積み込んだり、トラック１５よりコンクリート原料１を使用現場へ下ろしたりする。
【００１５】
使用する場合には、コンクリート骨材収納袋５をクレーン１３のフック１４に吊りロープ７、７を係止させて、コンクリートミキサー１６のホッパー１７上へ排出筒４を位置させ、開閉手段としてのロープ６を開放して、排出口３を開放することにより、コンクリート骨材収納袋５内のコンクリート骨材８および水溶解袋９に密封されたセメント１０が排出筒４の排出口３よりホッパー１７内へ落下供給される。
【００１６】
コンクリートミキサー１６内へ供給されたコンクリート骨材８、水溶解袋９に収納されたセメント１０に計量された水を加えて混練されるため、加えられた水によって水溶解袋９は溶解され、コンクリート骨材８とセメント１０が混練され、生コンクリートが製造される。
【００１７】
[発明を実施するための異なる形態]
次に、図８ないし図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１８】
図８ないし図１０に示す本発明を実施するための第２の形態において、前記本発明を実施するための第１の形態と主に異なる点は、コンクリート骨材８が収納されたコンクリート骨材収納袋５に、あらかじめ一定量に計量されたセメント１０が水溶解袋９Ａに収納されたものを、前記コンクリート骨材収納袋５に収納されたコンクリート骨材８に応じた複数個収納した点で、このように構成したコンクリート原料１Ａにしても、前記本発明を実施するための第１の形態と同様な作用効果が得られるとともに、コンクリート骨材収納袋５にセメント１０が収納された複数個の水溶解袋９Ａを収納するので、１個のセメント１０が収納された水溶解袋９Ａは小さくなり、排出口３となる排出筒４に引っかかることなく、スムーズに排出できる大きさにでき、必要とする生コンクリートに応じてセメント１０が収納された水溶解袋９Ａの数をコンクリート骨材収納袋５に収納するだけでよく、楽に設定することができる。
【００１９】
図１１ないし図１３に示す本発明を実施するための第３の形態において、前記本発明を実施するための第１の形態と主に異なる点は、コンクリート骨材８が収納されたコンクリート骨材収納袋５に、あらかじめ一定量に計量されたセメント１０が収納された水溶解袋９Ａを１個あるいは複数個収納することができる防水性のシートで形成した下部が開口１８し、折りたたむことにより閉口する筒部材製の水溶解袋収納容器１９を該コンクリート骨材収納袋５の上部内壁面に縫い着固定あるいは上部をひもで縛り、該ひもをコンクリート骨材収納袋５の上部をとじるロープ１１固定した点で、このように構成したコンクリート原料１Ｂにしても、前記本発明を実施するための第１の形態と同様な作用効果が得られる。
【００２０】
なお、使用はコンクリート骨材収納袋５に一定量のコンクリート骨材８を収納した後、水溶解袋収納容器１９の開口１８より、一定量に計量されたセメント１０が収納され水溶解袋９Ａを1個あるいは複数個収納し、開口１８の端部を折り曲げて閉口し、該折り曲げ部をコンクリート骨材収納袋５に収納されたコンクリート骨材８上に位置させることにより、コンクリート骨材８と水溶解袋９Ａとの間に水溶解袋収納容器１９の防水性のシートが位置する状態となり、コンクリート骨材８に水分が含まれていてもセメント１０に悪影響を及ぼすことがないとともに、コンクリート骨材８が排出されると自動的に水溶解袋収納容器１９の開口１８が開口して、水溶解袋９Ａを排出することができる。
【００２１】
なお、前記本発明の各実施の形態では、開閉手段として排出筒４の外周部に両端部を除く一部が縫着固定されたロープ６を用いるものについて説明したが、本発明はこれに限らず、出願前に公知、公用のものであれば、どんな構造のものであってもよい。  
また、本願出願人が発明した特許第５１８８７５０号のコンテナーバックの構造を用いてもよい。
【産業上の利用可能性】
【００２２】
本発明は生コンクリートを使用現場で製造する場合に使用されるコンクリート原料をコンクリート骨材工場より使用現場へ輸送する産業で利用される。
【符号の説明】
【００２３】
１、１Ａ：コンクリート原料、  ２：開口部、
３：排出口、        ４：排出筒、
５：コンクリート骨材収納袋、  ６：開閉手段としてのロープ、
７：吊りロープ、      ８：コンクリート骨材、
９、９Ａ：水溶解袋、    １０：セメント、
１１：ロープ、      １２：紐、
１３：クレーン、      １４：フック、
１５：トラック、      １６：コンクリートミキサー、
１７：ホッパー、              １８：開口、
１９：水溶解袋収納容器。
【図１】
2015098121.tif 000003
【図２】
2015098121.tif 000004
【図３】
2015098121.tif 000005
【図４】
2015098121.tif 000006
【図５】
2015098121.tif 000007
【図６】
2015098121.tif 000008
【図７】
2015098121.tif 000009
【図８】
2015098121.tif 000010
【図９】
2015098121.tif 000011
【図１０】
2015098121.tif 000012
【図１１】
2015098121.tif 000013
【図１２】
2015098121.tif 000014
【図１３】
2015098121.tif 000015